【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】  負荷および前記負荷に電力供給する金属−空気電池であるバッテリ電源を有する装置における前記電力を制御するための自動スイッチであって、
前記バッテリ電源に接続され、基準電圧レベルを有しており、前記バッテリ電源の電圧レベルを前記基準電圧レベルと比較して制御信号を発生する電圧比較器と、
前記制御信号に応答して前記バッテリ電源を前記負荷に選択的に接続するスイッチとを備え、
前記バッテリ電圧レベルが前記基準電圧レベルを所定電圧だけ上回るときに、前記スイッチが前記バッテリ電源を前記負荷に接続し、前記バッテリ電圧レベルが前記基準電圧レベルを下回るときに、前記スイッチが前記バッテリ電源を前記負荷から切り離す自動スイッチ。
【請求項２】  請求項１に記載の装置において、
前記電圧比較器が、
接合を構成するベースとエミッタを有し、前記接合が、前記基準電圧レベルを供給する順方向バイアス電圧降下を有する第１バイポーラトランジスタと、
前記ベースへの電流を制限し、前記所定電圧を供給する抵抗であって、その抵抗と前記バッテリ電源が前記接合の両端に直列に接続される抵抗とを備え、
前記バッテリ電圧レベルが前記順方向バイアス電圧降下を前記所定電圧だけ上回るときに、前記第１バイポーラトランジスタが前記バッテリ電源を前記負荷に接続し、前記バッテリ電圧レベルが前記順方向バイアス電圧降下を下回るときに、前記第１バイポーラトランジスタが前記バッテリ電源を前記負荷から切り離す装置。
【請求項３】  請求項２に記載の装置において、さらに、
前記スイッチに対し前記制御信号を発生するコレクタを有する前記第１バイポーラトランジスタと、
前記バッテリ電圧レベルが前記順方向バイアス電圧降下を前記所定電圧だけ上回るときにアクティブになり、前記バッテリ電圧レベルが前記順方向バイアス電圧降下を下回るときにイナクティブになる前記制御信号と、
前記制御信号に応答するベース−エミッタ接合を有する第２バイポーラトランジスタを含む前記スイッチとを備え、
前記制御信号がアクティブのときに、前記第２バイポーラトランジスタが前記バッテリ電源を前記負荷に接続し、前記制御信号がイナクティブのときに、前記第２バイポーラトランジスタが前記バッテリ電源を前記負荷から切り離す装置。
【請求項４】  請求項３に記載の装置において、
前記電圧比較器が、
前記バッテリ電源の両端に直列に接続されたＲ１オームの第１抵抗、およびＲ２オームの第２抵抗（ただしＲ１およびＲ２は数値）と、
前記第２抵抗の両端に接続された前記第１バイポーラトランジスタの前記接合とを備え、
前記バッテリ電圧レベルが前記基準電圧レベルを（１＋Ｒ１／Ｒ２）の係数だけ上回るときに、前記制御信号がアクティブになって前記バッテリ電源を前記負荷に接続する装置。
【請求項５】  請求項１に記載の装置において、
前記バッテリ電源が亜鉛−空気電池を備えている装置。
【請求項６】  請求項１に記載の装置において、
前記負荷が補聴器の電子回路である装置。
【請求項７】  請求項１に記載の装置において、
前記電圧比較器が、
ゲート−ソース接合を有し、前記接合が、前記基準電圧レベルを供給するゲート−ソース・ターンオン電位を有する第１電界効果トランジスタと、
前記接合の両端に接続された前記バッテリ電源とを備え、
前記バッテリ電圧レベルが前記ゲート−ソース・ターンオン電位を前記所定電圧だけ上回るときに、前記電界効果トランジスタが前記バッテリ電源を前記負荷に接続し、前記バッテリ電圧レベルが前記ゲートソースターンオン電位を下回るときに、前記電界効果トランジスタが前記バッテリ電源を前記負荷から切り離す装置。
【請求項８】  請求項７に記載の装置において
前記スイッチが、前記制御信号に応答する第２ゲートを有する第２電界効果トランジスタを含み、
前記第１電界効果トランジスタが、前記第２ゲートに接続されたドレインを有し、前記制御信号をアクティブにする装置。
【請求項９】  請求項８に記載の装置において、さらに、
前記ドレインと前記第２ゲートの間に接続され、前記制御信号を増幅する増幅器を備えている装置。
【請求項１０】  請求項９に記載の装置において、
前記バッテリ電源が、酸素が供給されない金属−空気電池を含み、
前記バッテリ電源に酸素が供給されないときに、前記バッテリ電源が前記ターンオン電位を下回り、前記バッテリ電源に酸素が供給されるときに、前記バッテリ電源が前記ターンオン電位を上回る装置。
【請求項１１】  ハウジングおよびその内部に含まれる正極混合体を有する電子コンポーネントに電力を供給する金属−空気電池におけるフレックス回路であって、
正極領域、負極領域および電子コンポーネント領域を搭載したフレキシブル基板を備え、
前記フレキシブル基板が、前記ハウジング内に配置され、前記負極領域を前記ハウジングの上部表面近くに有し、前記正極領域を前記ハウジングの底部表面近くで前記正極混合体に接触する状態で有し、
前記負極領域が、空気を前記ハウジング内に空気を入れるための通気手段を有し、
前記負極領域と前記正極混合体の間にあって、前記負極領域と前記正極混合体との接触を防止する絶縁手段を備え、
前記通気手段が、空気を前記ハウジング内に入れ、前記金属−空気電池を起動して前記電子コンポーネントに電力を供給するフレックス回路。
【請求項１２】  請求項１１に記載の金属−空気電池において、
前記絶縁手段が、前記負極領域上に形成されて前記正極混合体と前記正極領域の間に配置されたセパレータ層を含む金属−空気電池。
【請求項１３】  請求項１２に記載の金属−空気電池において、
前記絶縁手段が、前記負極領域の端面を被覆するシールを含む金属−空気電池。
【請求項１４】  請求項１３に記載の金属−空気電池において、
前記正極混合体が電解質および金属を含み、その金属が、亜鉛、アルミニウム、カルシウム、マグネシウム、リチウムおよび鉄のいずれかである金属−空気電池。
【請求項１５】  請求項１４に記載の金属−空気電池において、
前記通気手段が前記負極領域に開口を備えて酸素を前記ハウジング内に導入する金属−空気電池。
【請求項１６】  請求項１５に記載の金属−空気電池において、さらに、
前記上部表面よりも上に位置する取り外し可能なタブを備え、そのタブが取り外されたときに空気が前記ハウジング内に導入される金属−空気電池。
【請求項１７】  請求項１１に記載の金属−空気電池において、
前記ハウジングが補聴器の内部にある金属−空気電池。
【請求項１８】  負荷およびその負荷に所定の電圧レベルを供給する作動電位の電源を備える装置における前記電源であって、
前記所定の電圧レベルよりも高い蓄積電圧レベルをもつ少なくとも一つの蓄電キャパシタと、
前記負荷と前記蓄電キャパシタの間に接続されて、前記蓄積電圧レベルを前記所定の電圧レベルに変換するＤＣ／ＤＣコンバータとを備えている電源。
【請求項１９】  請求項１８に記載の装置において、
前記所定の電圧レベルが約１．１ボルトであり、前記蓄積電圧レベルが約１０．０ボルトである装置。
【請求項２０】  請求項１８に記載の装置において、
前記装置が補聴器であり、さらに、
前記作動電位の電源と前記負荷を分離するケーブルを備え、
前記負荷が前記補聴器内に配置され、前記電源が前記補聴器外に配置されている装置。
【請求項２１】  内部回路およびマイクロフォンを備える補聴器であって、
前記内部回路およびマイクロフォンから絶縁された空気負極と、
前記空気負極に圧入されて前記マイクロフォン用の開口を形成する負極アイレットと、
スイッチであって、
（１）一端で前記内部回路に電気的に接続され、他端で前記負極アイレットに押し付けられるスプリングと、
（２）前記スプリングと前記負極アイレットの間に位置し、前記負極アイレットから前記スプリングを電気的に絶縁するためのプルタブとを有するスイッチと、を備え、
前記プルタブが前記位置にあるときに、前記空気負極が前記内部回路から電気的に絶縁され、前記プルタブが前記補聴器から取り外されたときに、前記空気負極が前記内部回路に電力を供給する補聴器。
【請求項２２】  内部回路およびマイクロフォンから絶縁された空気負極と、前記空気負極に圧入されて前記マイクロフォン用の開口を形成する負極アイレットとを備える補聴器における“ｏｎ−ｏｆｆ”スイッチであって、
第１端で前記内部回路に電気的に接続され、第２端で前記負極アイレットに隣接して配置された第１スプリングと、
第３端で前記負極アイレットに電気的に接続され、第４端で前記第２端から押し離される第２スプリングと、
前記第２スプリングのところに配置され、前記第４端を前記第２端に向けて選択的に移動させる駆動手段とを備え、
前記駆動手段が前記第４端を前記第２端に向けて移動させるときに、前記空気電極を前記内部回路に電気的に接続し、前記駆動手段が前記第４端を前記第２端から遠ざけるように移動させるときに、前記空気負極を前記内部回路から電気的に絶縁する“ｏｎ−ｏｆｆ”スイッチ。
【請求項２３】  請求項２２に記載の補聴器において、
前記駆動手段が、前記第４端を前記第２端に向けて移動させる位置にあるカムと、そのカムに連結されたレバーとを備え、
前記レバーが、前記負極アイレットから離れる方向に位置するときに“ｏｆｆ”位置にあり、前記負極アイレットに向かう方向に位置するときに“ｏｎ”位置にあり、
前記レバーが“ｏｎ”位置に移動されるときに、前記第４端が前記第２端に接触し、前記レバーが“ｏｆｆ”位置に移動されるときに、前記第４端が第２端から絶縁される補聴器。
【請求項２４】  請求項２３に記載の補聴器において、
前記レバーを軸にして回転される引き抜きラインを備え、
その引き抜きラインが引っ張られたときに、前記レバーが“ｏｆｆ”位置に移動される補聴器。
【請求項２５】 請求項１に記載の負荷、バッテリ電源および自動スイッチを備えた装置。